【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
呼において２の参加者間でメディアを交換する方法であって、該方法は、
該２の参加者間で接続を設定する段階と、
追加の参加者を該呼へ参加させるために、いつ要求が受信されるかを判断するためにモニターする段階と、
前記モニターする段階が１以上の追加の参加者を前記二者間の呼へ取り入れるための要求が受信されたことを判断したときに、多数者間の接続に適切な新しい符号化スキームを選択する段階と、
前記モニターする段階が前記呼へ１以上の追加の参加者を引き入れるための要求が受信されたと判断するときに、前記２の参加者の呼へミキサを取り入れる段階とからなることを特徴とする方法。
【請求項２】
請求項１に記載の方法において、該方法はさらに、当事者に自らのケイパビリティについて問い合わせる段階とからなることを特徴とする方法。
【請求項３】
請求項１に記載の方法において、該方法はさらに、電話会議のためのミキサーへの接続を設定することを当事者に対し指示する段階からなることを特徴とする方法。
【請求項４】
電話会議への少なくとも３の参加者間でメディアを交換する方法であって、該方法は、
ミキサーを用いて該参加者間で接続を設定する段階と、
１またはそれ以上の電話会議の参加者が２の参加者だけを残して何時抜けたかを判断するために該接続をモニターする段階と、
該２の参加者だけが該電話会議に残っていると該モニターする段階が判断するときには、該電話会議から該ミキサーを取り除く段階とからなることを特徴とする方法。
【請求項５】
請求項４に記載の方法において、該方法はさらに、該電話会議が該ミキサーを除く前に二者間呼となっているときに、該残された２つの当事者が直接通信できるかどうかを判断する段階とからなることを特徴とする方法。
【請求項６】
請求項４に記載の方法において、該方法はさらに、該残された２つの当事者に直接的なメディア接続を設定することを促す段階からなることを特徴とする方法。
【請求項７】
請求項４に記載の方法において、該方法はさらに、当事者に自らのケイパビリティについて問い合わせる段階からなることを特徴とする方法。
【請求項８】
請求項４に記載の方法において、該方法はさらに、２の参加者間の呼のための直接的な接続を設定することを当事者に対し指示する段階からなることを特徴とする方法。
【請求項９】
呼において２の参加者間でメディアを交換するシステムであって、該システムは、
コンピュータが読み取り可能なコードを保存するメモリと、
該メモリと機能的に結合されたプロセッサとからなり、該プロセッサが、
該２の参加者間で接続を設定し、
追加の参加者を該呼に参加させるために、いつ要求が受信されるかを判断するためにモニターし、
前記モニターする段階が１以上の追加の参加者を前記二者間の呼へ取り入れるための要求が受信されたことを判断したときに、多数者間の接続に適切な新しい符号化スキームを選択し、そして、
前記モニターする段階が前記呼へ１以上の追加の参加者を引き入れるための要求が受信されたと判断するときに、前記２の参加者の呼へミキサを取り入れるよう、構成されていることを特徴とするシステム。
【請求項１０】
請求項９に記載のシステムにおいて、該プロセッサがさらに、該当事者に自らのケイパビリティについて問い合わせるよう構成されていることを特徴とするシステム。
【請求項１１】
請求項９に記載のシステムにおいて、該プロセッサがさらに、電話会議のためのミキサーへの接続を設定することを当事者に対し指示するように構成されていることを特徴とするシステム。
【請求項１２】
電話会議への少なくとも３の参加者間でメディアを交換するシステムであって、該システムは、
コンピュータが読み取り可能なコードを保存するメモリと、
該メモリと機能的に結合されたプロセッサとからなり、該プロセッサが、
ミキサーを用いて該参加者間で接続を確立し、
１またはそれ以上の電話会議参加者が２の参加者だけを残して何時抜けたかを判断するために該接続をモニターし、
該２の参加者だけが該電話会議に残っていると該モニターで判断したときには、該電話会議から該ミキサーを取り除くように構成されていることを特徴とするシステム。
【請求項１３】
請求項１２に記載のシステムにおいて、該プロセッサがさらに、該電話会議が該ミキサーを除く前に二者間の呼となっているときに、該残された２つの当事者が直接通信できるかどうかを判断するよう構成されていることを特徴とするシステム。
【請求項１４】
請求項１２に記載のシステムにおいて、該プロセッサがさらに、該残された２の当事者に直接的なメディア接続を設定することを促すよう構成されていることを特徴とするシステム。
【請求項１５】
請求項１２に記載のシステムにおいて、該プロセッサがさらに、当事者に自らのケイパビリティについて問い合わせるよう構成されていることを特徴とするシステム。
【請求項１６】
請求項１２に記載のシステムにおいて、該プロセッサがさらに、２つの当事者間の呼のための直接的な接続を設定することを当事者に対し指示するように構成されていることを特徴とするシステム。
【請求項１７】
呼における２の参加者間でメディアを交換するシステムであって、該システムは、
該２の参加者間で接続を設定する手段と、
追加の参加者を該呼へ参加させるために、いつ要求が受信されるかを判断するために該接続をモニターする手段と、
前記モニターする段階が１以上の追加の参加者を前記二者間の呼へ取り入れるための要求が受信されたことを判断したときに、多数者間の接続に適切な新しい符号化スキームを選択する手段と、
前記モニターする段階が前記呼へ１以上の追加の参加者を引き入れるための要求が受信されたと判断するときに、前記２の参加者の呼へミキサを取り入れる手段とからなることを特徴とするシステム。
【請求項１８】
電話会議への少なくとも３の参加者間でメディアを交換するシステムであって、該システムは、
ミキサーを用いて該参加者間で接続を確立する手段と、
１またはそれ以上の電話会議参加者が２の参加者だけを残して何時抜けたかを判断するために該接続をモニターする手段と、
該２の参加者だけが該電話会議に残っていると該モニターする手段が判断したときには、該電話会議から該ミキサーを取り除く手段とからなることを特徴とするシステム。
【請求項１９】
呼における２の参加者間でメディアを交換する方法であって、
二者間の接続に適切な符号化スキームで、該２の参加者間で接続を設定する段階と、
電話会議を生成すべく追加の参加者を参加させるために、何時要求が受信されるかを判断するためにモニターする段階と、
前記モニターする段階が１以上の追加の参加者を前記二者間の呼へ取り入れるための要求が受信されたことを判断したときに、多数者間の接続に適切な新しい符号化スキームを選択する段階とからなることを特徴とする方法。
【請求項２０】
電話会議への少なくとも３の参加者間でメディアを交換する方法であって、
該参加者間で接続を設定する段階と、
１またはそれ以上の電話会議の参加者が２の参加者だけを残して何時抜けたかを判断するために該接続をモニターする段階と、
該２の参加者だけが該電話会議に残っていると該モニターする段階が判断するときには、該残された２の参加者間での接続のための新たな符号化スキームであって、二者間接続に適切なものを選択する段階とからなることを特徴とする方法。
【請求項２１】
呼における２の参加者間でメディアを交換する方法であって、該方法が、
前記２の参加者間で接続を設定する段階と、
前記モニターする段階が１以上の追加の参加者を前記二者間の呼へ取り入れるための要求が受信されたことを判断したときに、多数者間の接続に適切な新しい符号化スキームを選択する段階と、
前記モニターする段階が前記呼へ１以上の追加の参加者を引き入れるための要求が受信されたと判断するときに、前記２の参加者の呼へミキサを取り入れる段階とからなることを特徴とする方法。
【請求項２２】
請求項２１の方法において、１以上の前記会議呼の参加者が、２の参加者だけを残して抜けるときに、前記会議呼から前記ミキサを取り除く段階をさらに備える方法。